(57)【要約】【課題】予期しない加熱調理が開始されることを抑えることができる加熱調理器を提案する。【解決手段】加熱調理器は、加熱調理を行うための燃焼装置１と、実行可能な調理メニューを表示することができる表示部２と、加熱調理の開始を指示する点火スイッチ６７と、燃焼装置１と表示部２を制御する制御部５と、を具備する。制御部５は、表示部２に調理メニューが表示されていない状態で、点火スイッチ６７が操作されたときに、加熱調理を開始せずに、表示部２に調理メニューを表示させるように構成されている。【選択図】図２
2020186879.tif 000002
【特許請求の範囲】
【請求項１】
加熱調理を行うための燃焼装置と、
実行可能な調理メニューを表示することができる表示部と、
加熱調理の開始を指示する点火スイッチと、
前記燃焼装置と前記表示部を制御する制御部と、を具備し、
前記制御部は、前記表示部に前記調理メニューが表示されていない状態で、前記点火スイッチが操作されたときに、加熱調理を開始せずに、前記表示部に前記調理メニューを表示させるように構成されている
加熱調理器。
【請求項２】
前記制御部は、
前記点火スイッチの操作によって前記表示部に前記調理メニューが表示された状態で、前記点火スイッチが更に操作されたときに、前記調理メニューに従って加熱調理を開始するように構成されている
請求項１の加熱調理器。
【請求項３】
前記点火スイッチの操作によって前記表示部に表示される前記調理メニューは、予め登録された調理メニューである
請求項１または２の加熱調理器。
【請求項４】
前記点火スイッチの操作によって前記表示部に表示される前記調理メニューは、前回実行された調理メニューである
請求項１または２の加熱調理器。
【請求項５】
前記点火スイッチの操作によって前記表示部に表示される前記調理メニューは、過去の調理メニューの選択回数に基づいて選択された調理メニューである
請求項１または２の加熱調理器。
【請求項６】
前記点火スイッチの操作によって前記表示部に表示される前記調理メニューは、過去の調理メニューの履歴に基づいて決定される
請求項１または２の加熱調理器。
【請求項７】
前記燃焼装置は、グリル庫に設置されたバーナを含み、
前記点火スイッチの操作によって前記表示部に表示される前記調理メニューは、前記グリル庫で実行可能な調理メニューである
請求項１から６のいずれか一項の加熱調理器。
【発明の詳細な説明】
【技術分野】
【０００１】
本発明は、燃焼装置を備えた加熱調理器に関する。
【背景技術】
【０００２】
燃焼装置を備えた加熱調理器において、選択された調理メニューを表示することができる表示部を備えることが、従来提案されている（特許文献１等参照）。
【先行技術文献】
【特許文献】
【０００３】
【特許文献１】特開２０１７−１７２９４２号公報
【発明の概要】
【発明が解決しようとする課題】
【０００４】
上記した従来の加熱調理器では、調理メニューが表示されていないときに点火用のスイッチを操作すると、所定の調理メニューでの加熱調理をすぐに開始するように設定されていた。そのため、使用者の操作ミス等で点火用のスイッチを操作すると、予期しない加熱調理が開始されるという問題があった。
【０００５】
本発明は、予期しない加熱調理が開始されることを抑えることができる加熱調理器を提案することを、目的とする。
【課題を解決するための手段】
【０００６】
本発明の一態様に係る加熱調理器は、加熱調理を行うための燃焼装置と、実行可能な調理メニューを表示することができる表示部と、加熱調理の開始を指示する点火スイッチと、前記燃焼装置と前記表示部を制御する制御部と、を具備する。前記制御部は、前記表示部に前記調理メニューが表示されていない状態で、前記点火スイッチが操作されたときに、加熱調理を開始せずに、前記表示部に前記調理メニューを表示させるように構成されている。
【発明の効果】
【０００７】
本発明は、予期しない加熱調理が開始されることを抑えることができるという効果を奏する。
【図面の簡単な説明】
【０００８】
【図１】図１は、一実施形態の加熱調理器を示す斜視図である。
【図２】図２は、同上の加熱調理器の構成を示すブロック図である。
【図３】図３は、同上の加熱調理器が備える燃焼装置を示す概略図である。
【図４】図４は、同上の加熱調理器が備える操作ブロックを示す図である。
【図５】図５は、同上の操作ブロックの表示面に表示されるトップ画面を示す図である。
【図６】図６は、同上の表示面に表示される大メニュー選択画面を示す図である。
【図７】図７は、同上の表示面に表示されるメニュー選択画面を示す図である。
【図８】図８は、同上の表示面に表示される火加減選択画面を示す図である。
【図９】図９は、同上の表示面に表示されるタイマー選択画面を示す図である。
【図１０】図１０は、同上の表示面に表示される点火促し画面を示す図である。
【図１１】図１１は、同上の表示面に表示される調理中画面を示す図である。
【図１２】図１２は、同上の表示面に表示される調理終了画面を示す図である。
【発明を実施するための形態】
【０００９】
（一実施形態）
添付図面に基づいて、一実施形態の加熱調理器について説明する。
【００１０】
一実施形態の加熱調理器は、グリル付きガスこんろであるが、ガスこんろを備えないグリル庫で構成されてもよいし、グリル庫を備えないガスこんろで構成されてもよい。また、ガスこんろの代わりにＩＨ（誘導加熱）調理器を備えてもよい。
【００１１】
また、一実施形態の加熱調理器は、キッチンカウンターに形成された開口部に上方より挿入されて設置されるドロップイン方式の加熱調理器であるが、特にドロップイン方式に限定されない。
【００１２】
一実施形態の加熱調理器は、略箱状の本体ケーシング９０を備える。本体ケーシング９０には、図２、図３にも示す燃焼装置１と、調理メニュー等の加熱調理に関する情報が表示される表示部２と、使用者が加熱調理に関する指示を入力することのできる入力操作部６と、入力操作部６に入力された指示に従った条件で燃焼装置１を制御し、所望の加熱調理を実行させる制御部５を備える。
【００１３】
更に、一実施形態の加熱調理器は、表示部２が有する表示面２０をその背後から照らすように配置されたバックライト３と、乾電池等の電池８が着脱自在に収容される電池収容部４を備える。電池収容部４は制御部５に対して電気的に接続されている。電池８の電力は、加熱調理器が備える燃焼装置１、表示部２、バックライト３等の各構成を駆動する電力として、制御部５に供給される。省電力のために、バックライト３は入力操作部６に入力操作があったときに点灯し、所定時間（例えば１０秒）だけ入力操作がないときには自動的に消灯することが好ましい。
【００１４】
ここで、一実施形態の加熱調理器における前後左右の各方向を定義する。図１に示すように、設計上、加熱調理器に対して使用者が位置すると想定される方を前方Ｆと定義し、その反対を後方Ｂと定義する。左右方向については、使用者が後方Ｂを向いているときを基準として左方Ｌと右方Ｒを定義する。
【００１５】
燃焼装置１について、詳しく説明する。
【００１６】
燃焼装置１は、こんろ用の複数のバーナ１１１，１１２，１１３と、グリル用の複数のバーナ１３１，１３２を備える（図３参照）。こんろ用の複数のバーナ１１１，１１２，１１３は、具体的には左バーナ１１１、奥バーナ１１２及び右バーナ１１３である。グリル用の複数のバーナ１３１，１３２は、具体的には下バーナ１３１と上バーナ１３２である。
【００１７】
本体ケーシング９０は、複数のバーナ挿通口９２５が形成された天板９２を備える。
各バーナ１１１，１１２，１１３は、対応するバーナ挿通口９２５を通じて、その上部を露出させている。天板９２の各バーナ挿通口９２５の周囲には、調理容器（図示略）を支持するための五徳９３が設置される。
【００１８】
各バーナ１１１，１１２，１１３は、五徳９３に載置される調理容器の底部の温度を検知する温度センサ１２１，１２２，１２３を備えている。温度センサ１２１，１２２，１２３により検知された温度に基づいて、マイクロコンピュータを有する制御部５が、設定された調理メニューに従って自動調理等を実行する。
【００１９】
本体ケーシング９０の前面には、こんろ用の入力操作部９６が配置されている。入力操作部９６は、バーナ１１１，１１２，１１３の点火／消火の切り替えや火力調節に関する指示を与えるように構成されている。入力操作部９６の操作を受けて、制御部５がバーナ１１１，１１２，１１３の燃焼を制御する。
【００２０】
本体ケーシング９０内には、前方Ｆに開口したグリル庫９８が設けられており、グリル庫９８の開口にはグリル扉９９が開閉自在に設けられている。グリル庫９８の内部に、下バーナ１３１と上バーナ１３２が設置されている。
【００２１】
下バーナ１３１は、グリル庫９８に収納されたグリル皿、グリル鍋等の調理容器（図示略）をその下方から加熱するように設けられたバーナである。上バーナ１３２は、調理容器あるいは調理容器に載置された加熱調理対象を、その上方から加熱するように設けられた面状のバーナである。
【００２２】
下バーナ１３１は、こんろ用の各バーナ１１１，１１２，１１３と同様の構造を有し、調理容器の温度を検知する温度センサ１２４を備えている。温度センサ１２４は、下バーナ１３１の上部の中央部分から上方に突出し、調理容器の底壁に対して下方から当接するように構成されている。
【００２３】
燃焼装置１は、こんろ用の各バーナ１１１，１１２，１１３とグリル用の各バーナ１３１，１３２に燃料ガスを供給する供給路１４を、更に備えている。供給路１４は、元ガス供給路１４０と、複数（一実施形態では四つ）のガス供給路１４１，１４２，１４３，１４４を含む。
【００２４】
複数のガス供給路１４１，１４２，１４３，１４４は、元ガス供給路１４０の下流端から分岐した流路である。元ガス供給路１４０には元ガス電磁弁１５０が設けられている。各ガス供給路１４１，１４２，１４３，１４４には、電磁弁からなる安全弁１５１，１５２，１５３，１５４がそれぞれ設けられ、それらの下流側には、ステッピングモータで駆動される流量調節弁１６１，１６２，１６３，１６４が設けられている。
【００２５】
都市ガス等の燃料ガスは、ガス供給路１４１を介して左バーナ１１１に供給され、ガス供給路１４２を介して奥バーナ１１２に供給され、ガス供給路１４３を介して右バーナ１１３に供給され、ガス供給路１４４を介して下バーナ１３１と上バーナ１３２に供給される。
【００２６】
グリル用のガス供給路１４４は、その下流側においてガス供給路１４４１とガス供給路１４４２に分岐しており、燃料ガスは、ガス供給路１４４１を介して下バーナ１３１に供給され、ガス供給路１４４２を介して上バーナ１３２に供給される。ガス供給路１４４２には電磁弁１５５が設けられている。
【００２７】
制御部５は、上記した燃焼装置１の各機器を制御することで、各種の加熱調理を実行するように構成されている。
【００２８】
例えば、制御部５は、元ガス電磁弁１５０を開弁させ、安全弁１５１，１５２，１５３，１５４のうち対応するものを開弁させることで、こんろ用のバーナ１１１，１１２，１１３やグリル用のバーナ１３１，１３２に燃料ガスを流入させることができ、更に、対応するバーナ１１１，１１２，１１３，１３１，１３２の点火プラグ１７１，１７２，１７３，１７４，１７５でスパークを生じさせることで、点火を実行することができる。
【００２９】
次に、表示部２と入力操作部６が設置された操作ブロック９５について、説明する。
【００３０】
一実施形態の加熱調理器は、いわゆるカンガルーポケット式の操作ブロック９５を備える。操作ブロック９５は、図１に示す状態では、表示部２と入力操作部６を本体ケーシング９０内に隠すように位置するが、この状態の操作ブロック９５を後方Ｂに押し込むとこれに連動して前方Ｆに倒れるように所定角度だけ回転し、表示部２と入力操作部６を正面に露出させる姿勢となる。
【００３１】
図４に示すように、一実施形態の加熱調理器において表示部２と入力操作部６は、操作ブロック９５の一面９５０上において互いに隣接する位置に設けられているが、表示部２と入力操作部６の形態はこれに限定されない。例えば、表示部２と入力操作部６の両方または一方が、操作ブロック９５ではない箇所に設けられてもよい。例えば、表示部２が天板９２に設けられてもよいし、本体ケーシング９０の前面の適宜箇所に設けられてもよい。入力操作部６が天板９２に設けられてもよいし、本体ケーシング９０の前面の適宜箇所に設けられてもよい。
【００３２】
表示部２は、文字、数字、イラストレーション等の各種の情報を選択的に表示することができる液晶の表示面２０を有する。なお、表示面２０は液晶に限定されず、有機ＥＬ（エレクトロルミネッセンス）等の他の方式の画面を用いることも可能である。表示面２０がタッチパネルである場合は、表示面２０の一部が入力操作部６を兼ねることも可能である。
【００３３】
図４に示すように、入力操作部６は、トップ画面を表示するためのスイッチ６１と、直前の画面に戻るためのスイッチ６２と、選択対象を変更するためのスイッチ６３，６４と、選択対象を決定するためのスイッチ６５と、点火及び消火を行うためのスイッチ６６を有する。スイッチ６６は、点火スイッチ６７と消火スイッチ６８を兼ねるスイッチであるが、点火スイッチ６７と消火スイッチ６８を別々に設けることも可能である。
【００３４】
使用者が入力操作部６を用いて加熱調理を行う手順は、例えば以下に述べるとおりである。
【００３５】
図５には、表示面２０に表示されるトップ画面を示している。使用者は、「ＴＯＰ画面」と記されたスイッチ６１を操作することで、表示面２０にトップ画面を表示させることが可能である。トップ画面には、複数の選択肢が示されている。一例として、複数の選択肢には、過去の履歴から調理メニューを選択する選択肢と、調理容器を選択するための複数の選択肢と、設定変更を行う選択肢が含まれている。
【００３６】
トップ画面において、スイッチ６３，６４を操作する等して、複数の選択肢のうち一つ（この例では、調理容器のうちグリル皿を意味する「プレートパン」）を選択し、更に「決定」と記されたスイッチ６５を操作すると、図６に示す大メニュー選択画面が表示面２０に表示される。
【００３７】
大メニュー選択画面には、大メニューに関する複数の選択肢が示され、このうち一つの選択肢（この例では「調理モード」）を選択して「決定」のスイッチ６５を操作すると、図７に示すメニュー選択画面が表示面２０に表示される。
【００３８】
メニュー選択画面には、メニューに関する複数の選択肢が示され、このうち一つの選択肢（この例では「焼く」）を選択して「決定」のスイッチ６５を操作すると、図８に示す火加減選択画面が表示面２０に表示される。
【００３９】
火加減選択画面には、火加減に関する選択肢が変更可能に示され、このうち一つの選択肢（この例では「中」）を選択して「決定」のスイッチ６５を操作すると、図９に示すタイマー選択画面が表示面２０に表示される。
【００４０】
タイマー選択画面には、調理時間に関する選択肢が変更可能に示され、このうち一つの選択肢（この例では「１０分」）を選択して「決定」のスイッチ６５を操作すると、図１０に示す点火促し画面が表示面２０に表示される。
【００４１】
点火促し画面には、これより以前の各画面を経て選択された調理メニュー（この例では「プレートパン」「焼く」「中」「１０分」の調理メニュー）の文字情報が表示され、加えて、使用者に対して点火を促す情報として「右端の点火キーを押してください」の文字情報が表示される。
【００４２】
使用者は、現時点で選択されている調理メニューを、表示面２０を見て確認したうえで、点火スイッチ６７（スイッチ６６）を押して加熱調理の開始の指示を入力する。点火スイッチ６７が操作されると、操作信号を受けた制御部５は、選択された調理メニューに対応する燃焼条件にしたがって燃焼装置１を駆動し、グリル庫９８での加熱調理を実行していく。
【００４３】
加熱調理中において、表示面２０には、図１１に示す調理中画面が表示される。調理中画面には、選択された調理メニューの情報に加えて、現在調理中であることを示す情報として「調理中」の文字情報が表示される。ここでの加熱調理中には、バーナ１３１，１３２で火炎を生じている最中に加えて、余熱や蒸らしの最中も含まれる。
【００４４】
選択された調理メニューでの一連の加熱調理が終了すると、図１２に示す調理終了画面が表示される。調理終了画面には、調理終了を示す情報として「調理が終了しました」の文字情報が表示される。
【００４５】
上記したように、一実施形態の加熱調理器においては、図１０に示す点火促し画面が表示されている場合に点火スイッチ６７が操作されると、その画面中に含まれている調理メニューで加熱調理を開始するのであるが、点火促し画面に限らず、調理メニューが含まれた画面（つまり図８に示す火加減選択画面と、図９に示すタイマー選択画面）を表示しているときであれば、点火スイッチ６７が操作された場合には該調理メニューで加熱調理が開始される。
【００４６】
これに対して、調理メニューを含まないトップ画面が表示されている場合には、点火スイッチ６７が操作されても、加熱調理を開始するのではなく、調理メニューが含まれた点火促し画面を表示するように設けている。
【００４７】
トップ画面から点火促し画面に移行した状態で、点火スイッチ６７が更に操作された場合に、点火促し画面に含まれる調理メニューに従って、加熱調理が開始される。このとき、点火促し画面に含まれる調理メニューは、予め登録された所定の調理メニューであり、一例として「プレートパン」「焼く」「中」「１０分」の調理メニューである。登録された所定の調理メニューは、使用者が変更することも可能である。
【００４８】
つまり、一実施形態の加熱調理器では、表示部２に調理メニューが表示されていないときに点火スイッチ６７が操作されても、加熱調理を開始するのではなく、調理メニューが含まれた画面を表示部２に表示するに留める。次いで、その画面が表示されている状態で点火スイッチ６７が再び操作されると、その画面に含まれる調理メニューでの加熱調理を開始する。
【００４９】
言い換えれば、表示部２に調理メニューが表示されているときには、１回の点火スイッチ６７の操作で速やかに加熱調理を開始し、表示部２に調理メニューが表示されていないときには、加熱調理を開始するために２回の点火スイッチ６７の操作を要する設定であり、１回目と２回目の点火スイッチ６７の操作の間に、表示部２に所定の調理メニューを表示する。
【００５０】
使用者は、表示部２を見て調理メニューの内容を確認したうえで、加熱調理を開始することができる。仮に、トップ画面での点火スイッチ６７の操作が使用者の操作ミスであった場合には、表示された調理メニューを見て操作を取りやめればよく、不意に加熱調理が開始されるという事態が抑えられる。
【００５１】
一実施形態の加熱調理器において、図６に示す大メニュー選択画面と図７に示すメニュー選択画面が表示部２に表示されているときには、点消火用のスイッチ６６（点火スイッチ６７及び消火スイッチ６８）の操作は受付不可であり、スイッチ操作によって点火促し画面に移行することはないが、大メニュー選択画面とメニュー選択画面少なくとも一方が表示されているときのスイッチ６６の操作で点火促し画面に移行するように設定することも可能である。
【００５２】
上記した一実施形態の加熱調理器では、表示部２と入力操作部６はグリルでの加熱調理用に構成されており、点消火用のスイッチ６６（点火スイッチ６７）の操作によって表示部２に表示される調理メニューは、グリル庫９８で実行可能な調理メニューであるが、これに限定されず、表示部２と入力操作部６がこんろでの加熱調理用に構成されてもよいし、グリルとこんろの両方の加熱調理用に構成されてもよい。また、一実施形態の加熱調理器は、電池８の電力で各機器を駆動するように構成されているが、商用電源の電力で各機器を駆動するように構成されてもよい。
【００５３】
（変形例）
一実施形態の加熱調理器の変形例１−３について、以下に説明する。なお、上記した構成と同様の構成については、同一符号を付して詳しい説明を省略する。
【００５４】
まず、一実施形態の加熱調理器の変形例１について説明する。
【００５５】
変形例１において、表示部２にトップ画面が表示されているときに点消火用のスイッチ６６（点火スイッチ６７）が操作されることで表示部２に表示される調理メニューは、登録された調理メニューではなく、その加熱調理器においてグリル庫９８で前回実行された調理メニューである。制御部５が有するメモリ（図示略）には、過去において実行された調理メニューが記憶されており、この中から最新の調理メニューが、スイッチ６６を操作した後の点火促し画面において表示される。
【００５６】
これにより、その使用者が直前に使用した用途での調理メニューが自動的に選択され、前回と同じ調理メニューでの加熱調理が可能となる。
【００５７】
次に、一実施形態の加熱調理器の変形例２について説明する。
【００５８】
変形例２において、表示部２にトップ画面が表示されているときに点消火用のスイッチ６６（点火スイッチ６７）が操作されることで表示部２に表示される調理メニューは、登録された調理メニューではなく、その加熱調理器においてグリル庫９８で最も多く選択された調理メニューである。制御部５が有するメモリには、過去において実行された調理メニューが記憶されており、この中から最も選択回数が多い調理メニューが、スイッチ６６を操作した後の点火促し画面において表示される。なお、ここで表示される調理メニューは、単純に過去の選択回数が最も多いものに限定されず、多様な基準を採用することが可能である。
【００５９】
これにより、その使用者が頻繁に使用した用途での調理メニューが自動的に選択され、使用者の嗜好にあった調理メニューでの加熱調理が可能となる。
【００６０】
次に、一実施形態の加熱調理器の変形例３について説明する。
【００６１】
変形例３において、表示部２にトップ画面が表示されているときに点消火用のスイッチ６６（点火スイッチ６７）が操作されることで表示部２に表示されるものは、登録された調理メニューではなく、その加熱調理器において過去に選択されたグリル用の加熱調理の履歴である。制御部５が有するメモリには、過去において実行された調理メニューが記憶されており、このうち直近の複数回の履歴が、スイッチ６６を操作した後の点火促し画面において表示される。使用者は、表示される複数回の履歴のうち所望のものを選択したうえで、スイッチ６６を操作すればよい。これにより、その使用者が過去に使用した調理メニューでの加熱調理が可能となる。変形例３において、表示部２にトップ画面が表示されているときのスイッチ６６の操作で表示部２に表示されるものは、調理メニューの直近の履歴に限定されず、過去の調理メニューの履歴に基づいて決定される一つまたは複数の調理メニューであればよい。
【００６２】
（作用効果）
一実施形態及びこれの変形例に基づいて説明したように、本発明の加熱調理器は、第１の特徴として以下の構成を備える。本発明の加熱調理器は、加熱調理を行うための燃焼装置１と、実行可能な調理メニューを表示することができる表示部２と、加熱調理の開始を指示する点火スイッチ６７と、燃焼装置１と表示部２を制御する制御部５と、を具備する。制御部５は、表示部２に調理メニューが表示されていない状態で、点火スイッチ６７が操作されたときに、加熱調理を開始せずに、表示部２に調理メニューを表示させるように構成されている。
【００６３】
第１の特徴を備える本発明の加熱調理器では、表示部２に実行可能な調理メニューが表示されていない状態で、使用者が操作ミス等で点火スイッチ６７を操作した場合には、加熱調理が開始されるのではなく、実行可能な調理メニューが表示部２に表示される。そのため、使用者は調理開始の前段階で調理メニューを確認することができ、操作ミス等で予期しない加熱調理が開始されるという事態が抑えられる。
【００６４】
本発明の加熱調理器は、第２の特徴として、第１の特徴に加えて以下の構成を備えることが好ましい。本発明の加熱調理器において、制御部５は、点火スイッチ６７の操作によって表示部２に調理メニューが表示された状態で、点火スイッチ６７が更に操作されたときに、調理メニューに従って加熱調理を開始するように構成されている。
【００６５】
第２の特徴を備える本発明の加熱調理器によれば、使用者が調理メニューを確認したうえでの２回目の点火スイッチ６７の操作によって、加熱調理を開始することができる。
【００６６】
本発明の加熱調理器は、第３の特徴として、第１または第２の特徴に加えて以下の構成を備えることが好ましい。本発明の加熱調理器において、点火スイッチ６７の操作によって表示部２に表示される調理メニューは、予め登録された調理メニューである。
【００６７】
第３の特徴を備える本発明の加熱調理器によれば、表示部２に調理メニューが表示されていない状態で、使用者が点火スイッチ６７を操作した場合には、すぐに実行可能な調理メニューとして、登録された調理メニューを表示し、これを確認したうえでの点火操作を促すことができる。
【００６８】
本発明の加熱調理器は、第４の特徴として、第１または第２の特徴に加えて以下の構成を備えることが好ましい。本発明の加熱調理器において、点火スイッチ６７の操作によって表示部２に表示される調理メニューは、前回実行された調理メニューである。
【００６９】
第４の特徴を備える本発明の加熱調理器によれば、表示部２に調理メニューが表示されていない状態で、使用者が点火スイッチ６７を操作した場合には、すぐに実行可能な調理メニューとして、前回実行の調理メニューを表示し、これを確認したうえでの点火操作を促すことができる。
【００７０】
本発明の加熱調理器は、第５の特徴として、第１または第２の特徴に加えて以下の構成を備えることが好ましい。本発明の加熱調理器において、点火スイッチ６７の操作によって表示部２に表示される調理メニューは、過去の調理メニューの選択回数に基づいて選択された調理メニューである。
【００７１】
第５の特徴を備える本発明の加熱調理器によれば、表示部２に調理メニューが表示されていない状態で、使用者が点火スイッチ６７を操作した場合には、すぐに実行可能な調理メニューとして、過去の選択に基づいた調理メニューを表示し、これを確認したうえでの点火操作を促すことができる。
【００７２】
本発明の加熱調理器は、第６の特徴として、第１または第２の特徴に加えて以下の構成を備えることが好ましい。本発明の加熱調理器において、点火スイッチ６７の操作によって表示部２に表示される調理メニューは、過去の調理メニューの履歴に基づいて決定される。
【００７３】
第６の特徴を備える本発明の加熱調理器によれば、表示部２に調理メニューが表示されていない状態で、使用者が点火スイッチ６７を操作した場合には、すぐに実行可能な調理メニューとして、過去の調理メニューの履歴を表示し、この中から選択して点火操作を行うことを促すことができる。
【００７４】
本発明の加熱調理器は、第７の特徴として、第１から第６のいずれか一つの特徴に加えて以下の構成を備えることが好ましい。本発明の加熱調理器において、燃焼装置１は、グリル庫９８に設置されたバーナ１３１，１３２を含み、点火スイッチ６７の操作によって表示部２に表示される調理メニューは、グリル庫９８で実行可能な調理メニューである。
【００７５】
第７の特徴を備える本発明の加熱調理器によれば、使用者はグリル庫９８内での調理開始の前段階でその調理メニューを確認することができ、グリル庫９８内において予期しない加熱調理が開始されるという事態が抑えられる。
【符号の説明】
【００７６】
１  燃焼装置
１３１  バーナ
１３２  バーナ
２  表示部
５  制御部
６７  点火スイッチ
９８  グリル庫
【図１】
2020186879.tif 000003
【図２】
2020186879.tif 000004
【図３】
2020186879.tif 000005
【図４】
2020186879.tif 000006
【図５】
2020186879.tif 000007
【図６】
2020186879.tif 000008
【図７】
2020186879.tif 000009
【図８】
2020186879.tif 000010
【図９】
2020186879.tif 000011
【図１０】
2020186879.tif 000012
【図１１】
2020186879.tif 000013
【図１２】
2020186879.tif 000014